(57)【要約】【課題】従来の無線ＬＡＮ中継装置の場合、中継装置内に使用されているアンテナ間の電波の干渉を回避するために中継装置内のアンテナどうしを１ｍ以上離す必要があり無線ＬＡＮ中継装置が大型なものになってしまっている。【解決手段】無線ＬＡＮ装置に使用しているアンテナを垂直に配置することにより、中継装置内に使用されているアンテナ間の電波の干渉を回避することができ、小型な中継装置が可能になる。また、垂直上方に配置されたアンテナからの同軸ケーブルは、下方に配置されたアンテナの側面を通ることにより、下方に配置されたアンテナからの電波が妨害されるので、垂直下方に配置されたアンテナを中空構造にして、その中を上方に配置されたアンテナからの同軸ケーブルを通すことにより電波妨害を回避する。【選択図】  図２
2008301334.tif 000002
【特許請求の範囲】
【請求項１】
他中継装置との間で電波を送受するための複数のアンテナと、前記送受電波信号をパケット変復調する複数の中継器と、前記アンテナと中継器をつなぐ複数の同軸ケーブルと、前記中継器どうしの信号をやり取りするＬＡＮケーブルから構成される無線ＬＡＮ中継装置において、複数のアンテナを垂直面に配置することを特徴とする無線ＬＡＮ中継装置。
【請求項２】
他中継装置との間で電波を送受するための複数のアンテナと、端末との間で電波を送受するためのアンテナと、前記送受電波信号をパケット変復調する複数の中継器と、前記アンテナと中継器をつなぐ同軸ケーブルと、前記中継器どうしの信号をやり取りするＬＡＮケーブルから構成される無線ＬＡＮ中継装置において、複数のアンテナを垂直面に配置することを特徴とする無線ＬＡＮ中継装置。
【請求項３】
請求項１の中継装置において、垂直面下方に配置されたアンテナを中空構造として、垂直面の上方に配置されたアンテナからの同軸ケーブルを垂直面下方に配置されたアンテナの中空構造部を通すことを特徴とする無線ＬＡＮ中継装置。
【請求項４】
請求項２の中継装置において、垂直面下方に配置されたアンテナを中空構造として、垂直面の上方に配置されたアンテナからの同軸ケーブルを垂直面下方に配置されたアンテナの中空構造部を通すことを特徴とする無線ＬＡＮ中継装置。
【発明の詳細な説明】
【技術分野】
【０００１】
本発明は、無線ＬＡＮ中継装置に関するものである。
【背景技術】
【０００２】
図１は従来の無線ＬＡＮ装置のシステム図である。本システム図について説明する。他中継装置１０１からの電波はアンテナ２１で受信され同軸ケーブル２２を介して中継器２３に送られ、中継器２３ではパケット復調され、この信号はＬＡＮケーブル８１で中継器３３に送られ、中継器３３でパケット変調され、同軸ケーブル３２を介してアンテナ３１に送られ、アンテナ３１から他の中継装置１０２に送出される。このようにして他中継装置１０１からの電波は中継装置１を介して他中継装置１０２に中継される。
【０００３】
また、他中継装置１０２からの電波は中継装置１を介して他中継装置１０１に中継される。中継される方法は前記内容と同様に行われる。
【０００４】
また、中継装置１の周辺地域の端末１４との中継も可能である。端末１４からの電波をアンテナ１１が受け同軸ケーブル１２を介して端末用中継器１３に送られ、端末中継器１３でパケット復調されＬＡＮケーブル８１で、中継器３３（２３）、同軸ケーブル３２（２２）、アンテナ３１（２１）を経由して他中継装置１０２（１０１）に中継される。他中継装置１０２（１０１）からの電波も中継装置１を介して端末１４に中継され、中継される方法は前記内容と同様に行われる。
【０００５】
本中継装置は簡易中継装置として設置されることもあり、この場合図1に示す支柱３で中継装置筐体２を地面に固定することがある。この様な場合は特に中継装置１の小型化が重要である。
【０００６】
【特許文献１】特開２００４−７４１１
【発明の開示】
【発明が解決しようとする課題】
【０００７】
図１に示す従来例では、アンテナ１１、２１、３１間の電波の干渉を回避するためにアンテナ１１とアンテナ２１間のＡ、およびアンテナ２１とアンテナ３１間のＢは１ｍ以上の距離を取る必要があり、中継装置の小型化が困難であった。
【０００８】
本発明は、上述の点に鑑みて為されたものであって、アンテナを垂直面に配置して小型化実現を目的とする。
【課題を解決するための手段】
【０００９】
本発明では、上述の目的を達成するために次のように構成している。
【００１０】
すなわち、本発明は、他中継装置との間で電波を送受するための複数のアンテナと、前記送受電波信号をパケット変復調する複数の中継器と、前記アンテナと中継器をつなぐ複数の同軸ケーブルと、前記中継器どうしの信号をやり取りするＬＡＮケーブルから構成される無線ＬＡＮ中継装置において、複数のアンテナを垂直面に配置する無線ＬＡＮ中継装置である。
【００１１】
また、他中継装置との間で電波を送受するための複数のアンテナと、端末との間で電波を送受するためのアンテナと、前記送受電波信号をパケット変復調する複数の中継器と、前記アンテナと中継器をつなぐ同軸ケーブルと、前記中継器どうしの信号をやり取りするＬＡＮケーブルから構成される無線ＬＡＮ中継装置において、複数のアンテナを垂直面に配置する無線ＬＡＮ中継装置である。
【００１２】
また、前記中継装置において、垂直面下方に配置されたアンテナを中空構造として、垂直面の上方に配置されたアンテナからの同軸ケーブルを垂直面下方に配置されたアンテナの中空構造部を通す無線ＬＡＮ中継装置である。  
【発明の効果】
【００１３】
本発明によれば、小型な無線ＬＡＮ中継装置が実現できる。
【実施例】
【００１４】
以下、図面によって本発明の実施例について、詳細に説明する。図２は、本発明の実施例である。図１の従来例に対応する部分には、同一の参照符号を付す。
他中継装置１０１からの電波はアンテナ２１で受信され同軸ケーブル２２を介して中継器２３に送られ、中継器２３ではパケット復調され、この信号はＬＡＮケーブル８１で中継器３３に送られ、中継器３３でパケット変調され、同軸ケーブル３２を介してアンテナ３１に送られ、アンテナ３１から他の中継装置１０２に送出される。このようにして他中継装置１０１からの電波は中継装置１を介して他中継装置１０２に中継される。
【００１５】
また、他中継装置１０２からの電波は中継装置１を介して他中継装置１０１に中継される。中継される方法は前記内容と同様に行われる。
【００１６】
また、中継装置１の周辺地域の端末１４との中継も可能である。端末１４からの電波をアンテナ１１が受け同軸ケーブル１２を介して端末用中継器１３に送られ、端末中継器１３でパケット復調されＬＡＮケーブル８１で、中継器３３（２３）、同軸ケーブル３２（２２）、アンテナ３１（２１）を経由して他中継装置１０２（１０１）に中継される。
【００１７】
また、他中継装置１０２（１０１）からの電波も中継装置１を介して端末１４に中継される。中継される方法は前記内容と同様に行われる。
【００１８】
アンテナ２１、３１、１１はお互いの干渉を避けるため図２に示すように垂直面上に配置される。
【００１９】
垂直面上に配置された場合、図５に示すように、上方に配置されたアンテナの同軸ケーブルは下方に配置されたアンテナの側面を通るのでこのアンテナからの電波を妨害することがある。無線ＬＡＮ中継装置に使用されるアンテナの一般的な外形を図３に示す。
【００２０】
この妨害を回避するため図６に示すように下方に配置されるアンテナを中空構造として、この中を上方に配置されたアンテナからの同軸ケーブルを通す。
図４に同軸ケーブル配置改善前と改善後の図を示す。
【００２１】
本発明は、無線ＬＡＮ中継装置の小型化のため利用可能である。
【図面の簡単な説明】
【００２２】
【図１】従来の無線ＬＡＮ中継装置のシステム図
【図２】本発明の無線ＬＡＮ中継装置のシステム図
【図３】無線ＬＡＮ中継装置に使用されるアンテナの一般的な外形図
【図４】同軸ケーブルの配置改善前後図
【図５】同軸ケーブル配置  改善前図
【図６】同軸ケーブル配置  改善後図
【符号の説明】
【００２３】
１１，２１，３１   アンテナ
１２，２２，３２   同軸ケーブル
１３、２３、３３   中継器
７１、７２、７４   電波
１４               端末
１                 中継装置
２                 中継装置筐体
３                 支柱
８１               ＬＡＮケーブル
１０１  １０２     他中継装置
【図１】
2008301334.tif 000003
【図２】
2008301334.tif 000004
【図３】
2008301334.tif 000005
【図４】
2008301334.tif 000006
【図５】
2008301334.tif 000007
【図６】
2008301334.tif 000008